(57)【要約】【課題】誤動作を防止し、メンテナンスが容易なトイレ装置を提供する。【解決手段】本発明のトイレ装置１０は、トイレ装置本体２１、２２と、リモートコントローラー３０とを備えている。トイレ装置本体２１、２２は、使用状態を検知する検知部２８と、検知信号Ｙを送信する本体側送信部２９Ａと、操作信号Ｘを受信する本体側受信部２９Ｂと、機能装置２６等の駆動を制御する本体側制御部２０とを有している。リモートコントローラー３０は、操作部３１Ａ等と、検知信号Ｙを受信するリモコン側受信部３３Ａと、操作信号Ｘを送信するリモコン側送信部３３Ｂと、検知信号Ｙに基づいて操作しないと判断した機能装置２６等に関する操作部が操作されても操作信号Ｘを送信せず、操作すると判断した機能装置２６等に関する操作部が操作されると操作信号Ｘを送信するようにリモコン側送信部３３Ａを制御するリモコン側制御部３４とを有している。【選択図】図２
2011208380.tif 000002
【特許請求の範囲】
【請求項１】
機能装置が組み込まれ、トイレ室内に設置されるトイレ装置本体と、前記機能装置を遠隔操作するリモートコントローラーとを備えたトイレ装置であって、
前記トイレ装置本体は、
使用状態を検知する検知部と、
この検知部の検知に基づいた検知信号を前記リモートコントローラーに向けて無線送信する本体側送信部と、
前記リモートコントローラーから無線送信された前記機能装置を操作する操作信号を受信する本体側受信部と、
この本体側受信部が受信した操作信号に基づいて前記機能装置の駆動を制御する本体側制御部とを有し、
前記リモートコントローラーは、
前記機能装置を操作する操作部と、
前記トイレ装置本体から無線送信された前記検知信号を受信するリモコン側受信部と、
前記トイレ装置本体へ前記操作信号を無線送信するリモコン側送信部と、
前記リモコン側受信部が受信した検知信号に基づいて前記機能装置を操作するかを判断し、操作しないと判断した機能装置に関する前記操作部が操作されても前記操作信号を送信せず、操作すると判断した機能装置に関する前記操作部が操作されると前記操作信号を送信するように前記リモコン側送信部を制御するリモコン側制御部とを有していることを特徴とするトイレ装置。
【請求項２】
前記トイレ装置本体は、便座を有し、局部洗浄装置と便座開閉装置とが組み込まれており、
前記検知部は前記便座への使用者の着座を検知し、
前記本体側送信部は、前記便座へ使用者が着座した状態では着座信号を無線送信し、前記便座から使用者が脱座した状態では脱座信号を無線送信し、
前記リモコン側制御部は、前記リモコン側受信部が脱座信号を受信している間、前記局部洗浄装置に関する前記操作部が操作されても前記操作信号を送信せず、前記便座開閉装置に関する前記操作部が操作されると前記操作信号を送信するように前記リモコン側送信部を制御することを特徴とする請求項１記載のトイレ装置。
【請求項３】
前記トイレ装置本体は、便座を有し、局部洗浄装置と便座及び便蓋開閉装置とが組み込まれており、
前記検知部は前記便座への使用者の着座を検知し、
前記本体側送信部は、前記便座へ使用者が着座した状態では着座信号を無線送信し、前記便座から使用者が脱座した状態では脱座信号を無線送信し、
前記リモコン側制御部は、前記リモコン側受信部が着座信号を受信している間、前記便座及び便蓋開閉装置に関する前記操作部が操作されても前記操作信号を送信せず、前記局部洗浄装置に関する前記操作部が操作されると前記操作信号を送信するように前記リモコン側送信部を制御することを特徴とする請求項１又は２記載のトイレ装置。
【発明の詳細な説明】
【技術分野】
【０００１】
本発明はトイレ装置に関する。
【背景技術】
【０００２】
特許文献１には従来のトイレ装置が開示されている。このトイレ装置は、局部洗浄装置が組み込まれ、トイレ室内に設置された水洗式便器に取り付けられ、便座を有する便座装置本体と、局部洗浄装置を遠隔操作するリモートコントローラーとを備えた局部洗浄機能付き便座装置である。便座装置本体は、リモートコントローラーから赤外線によって無線送信された局部洗浄装置を操作する操作信号を受信する本体側受信部と、この本体側受信部が受信した操作信号に基づいて局部洗浄装置を制御する本体側制御部とを有している。リモートコントローラーは、局部洗浄装置を操作する操作部と、局部洗浄装置への操作信号と人体検知とを兼ねた赤外線を発光するリモコン側送信部と、便座に着座した使用者に反射した人体検知用の赤外線を受光する受光部と、受光部が受光した赤外線により、使用者が便座に着座しているかを判断し、使用者が便座に着座していない判断した際には局部洗浄装置の操作信号の発光（送信）を行わないようにリモコン側送信部を制御するリモコン側制御部とを有している。
【０００３】
このトイレ装置では、局部洗浄機能付き便座装置を使用する使用者が便座に着座せず立ったままでいる時など、リモートコントローラーの操作部が操作されても局部洗浄装置の操作信号の送信を行わない。このため、リモートコントローラーの操作部の誤操作等による局部洗浄水の飛散を防止することができる。また、局部洗浄装置の操作信号を送信しないため、リモートコントローラーの電力消費を抑えることができる。
【先行技術文献】
【特許文献】
【０００４】
【特許文献１】特開２０００−４５３５５号公報
【発明の概要】
【発明が解決しようとする課題】
【０００５】
しかし、特許文献１のトイレ装置では、リモコン側送信部は局部洗浄装置への操作信号と人体検知とを兼ねた赤外線を発光する。このため、局部洗浄装置の本体側受信部に受信される方向であり、かつ便座に着座した使用者に反射する方向にリモコン側送信部から赤外線が発光させるようにリモートコントローラーをトイレ室の壁面に固定することになる。リモートコントローラーのトイレ室の壁面への取付け位置によっては、便座に着座した使用者の検知が不十分になり、便座に使用者が着座しているにもかかわらず局部洗浄装置が作動しないという誤動作が生じる虞がある。また、便座に着座した使用者を検知するため、リモートコントローラーは赤外線を常に発光しなければならない。このため、このリモートコントローラーは常に電力を消費し、リモートコントローラーの電力供給を電池によって行うものでは、電池交換の頻度が高くなる。
【０００６】
本発明は、上記従来の実情に鑑みてなされたものであって、誤動作を防止し、メンテナンスが容易なトイレ装置を提供することを解決すべき課題としている。
【課題を解決するための手段】
【０００７】
本発明のトイレ装置は、機能装置が組み込まれ、トイレ室内に設置されるトイレ装置本体と、前記機能装置を遠隔操作するリモートコントローラーとを備えたトイレ装置であって、
前記トイレ装置本体は、
使用状態を検知する検知部と、
この検知部の検知に基づいた検知信号を前記リモートコントローラーに向けて無線送信する本体側送信部と、
前記リモートコントローラーから無線送信された前記機能装置を操作する操作信号を受信する本体側受信部と、
この本体側受信部が受信した操作信号に基づいて前記機能装置の駆動を制御する本体側制御部とを有し、
前記リモートコントローラーは、
前記機能装置を操作する操作部と、
前記トイレ装置本体から無線送信された前記検知信号を受信するリモコン側受信部と、
前記トイレ装置本体へ前記操作信号を無線送信するリモコン側送信部と、
前記リモコン側受信部が受信した検知信号に基づいて前記機能装置を操作するかを判断し、操作しないと判断した機能装置に関する前記操作部が操作されても前記操作信号を送信せず、操作すると判断した機能装置に関する前記操作部が操作されると前記操作信号を送信するように前記リモコン側送信部を制御するリモコン側制御部とを有していることを特徴とする。
【０００８】
このトイレ装置では、トイレ装置本体が使用状態を検知する検知部を有しているため、誤検知を少なくすることができ、本体側送信部から検知信号をリモートコントローラーに向けて無線送信することができる。このため、この検知信号に基づいてリモコン側制御部が機能装置を操作するかを判断するため、その判断を正確に行うことができ、操作信号の送信及び非送信を適確に行なうことができる。また、トイレ装置本体が検知部を有しているため、リモートコントローラーの電力消費を抑えることができる。
【０００９】
したがって、本発明のトイレ装置は、誤動作を防止し、メンテナンスを容易にすることができる。
【００１０】
前記トイレ装置本体は、便座を有し、局部洗浄装置と便座開閉装置とが組み込まれており、
前記検知部は前記便座への使用者の着座を検知し、
前記本体側送信部は、前記便座へ使用者が着座した状態では着座信号を無線送信し、前記便座から使用者が脱座した状態では脱座信号を無線送信し、
前記リモコン側制御部は、前記リモコン側受信部が脱座信号を受信している間、前記局部洗浄装置に関する前記操作部が操作されても前記操作信号を送信せず、前記便座開閉装置に関する前記操作部が操作されると前記操作信号を送信するように前記リモコン側送信部を制御し得る。
【００１１】
この場合、使用者が便座へ着座していないことを検知部が検知し、本体側送信部が無線送信した脱座信号をリモコン側受信部が受信している間は、局部洗浄装置に関する操作部が操作されても送信信号が送信されない。このため、使用者が便座へ着座していない状態でリモートコントローラーの局部洗浄装置に関する操作部が操作されても局部洗浄装置は駆動されず、局部洗浄水の飛散等の誤動作を防止することができる。また、使用者が便座へ着座していない状態で便座開閉装置に関する操作部が操作されると送信信号が送信される。このため、使用者が着座していない状態でリモートコントローラーの便座開閉装置に関する操作部を操作することにより便座開閉装置が駆動して、便座を使用者の所望する起立状態又は倒伏状態に回動させることができる。
【００１２】
前記トイレ装置本体は、便座及び便蓋を有し、局部洗浄装置と便座及び便蓋開閉装置とが組み込まれており、
前記検知部は前記便座への使用者の着座を検知し、
前記本体側送信部は、前記便座へ使用者が着座した状態では着座信号を無線送信し、前記便座から使用者が脱座した状態では脱座信号を無線送信し、
前記リモコン側制御部は、前記リモコン側受信部が着座信号を受信している間、前記便座及び便蓋開閉装置に関する前記操作部が操作されても前記操作信号を送信せず、前記局部洗浄装置に関する前記操作部が操作されると前記操作信号を送信するように前記リモコン側送信部を制御し得る。
【００１３】
この場合、使用者が便座へ着座していることを検知部が検知し、本体側送信部が無線送信した着座信号をリモコン側受信部が受信している間は、便座及び便蓋開閉装置に関する操作部が操作されても送信信号が送信されない。このため、使用者が便座に着座している状態でリモートコントローラーの便座及び便蓋開閉装置に関する操作部が操作されても便座及び便蓋開閉装置は駆動されず、便座に着座している使用者の背中に便蓋が倒れ込む等の誤動作を防止することができる。また、使用者が便座に着座している状態で局部洗浄装置に関する操作部が操作されると操作信号が送信される。このため、使用者が便座に着座している状態でリモートコントローラーの局部洗浄装置に関する操作部を操作することにより、便座に着座した使用者の局部を良好に洗浄することができる。
【図面の簡単な説明】
【００１４】
【図１】実施例のトイレ装置を示す斜視図である。
【図２】実施例のトイレ装置の構成を示すブロック図である。
【発明を実施するための形態】
【００１５】
本発明のトイレ装置を具体化した実施例を図面を参照しつつ説明する。
【００１６】
＜実施例＞
実施例のトイレ装置は、図１及び図２に示すように、水洗式便器１０である。水洗式便器１０は、トイレ装置本体である便器本体２１及び便座装置２２と、リモートコントローラー３０とを備えている。便器本体２１はトイレ室Ｒ内に設置されている。便座装置２２は便器本体２１に取り付けられている。リモートコントローラー３０はトイレ室Ｒの壁面Ｗに取り付けられている。
【００１７】
便座装置２２は、便座２３と、便蓋２４と、便座２３及び便蓋２４を回動自在に軸支する便座ボックス２５とを有している。便座ボックス２５内には、機能装置である局部洗浄装置２６と、便座及び便蓋開閉装置２７とが組み込まれている。局部洗浄装置２６は、おしり洗浄用のノズル２６Ａとビデ洗浄用のノズル２６Ｂとを有している。便座及び便蓋開閉装置２７は、電磁式モーターが組み込まれており、便座２３及び便蓋２４を起立状態及び倒伏状態に回動させることができる。また、便座ボックス２５内には、機能装置である図示しない便器洗浄装置、温風乾燥装置、便座昇降装置、空気清浄装置及び音楽再生装置等も組み込まれている。
【００１８】
便座ボックス２５内には、検知部である着座センサ２８の本体部が組み込まれている。着座センサ２８は非接触式の静電容量式センサである。着座センサ２８のセンサ部（電極）２８Ａは便座２３内に取り付けられている。このため、着座センサ２８は便座２３への使用者の着座及び脱座を検知することができる。
【００１９】
便座ボックス２５の上面には赤外線が通過可能な窓部２９Ｗが設けられている。この窓部２９Ｗの下方の便座ボックス２５内には、赤外線を送信可能な発光ダイオードを有する本体側送信部２９Ａと、赤外線を受信可能なフォトダイオードを有する本体側受信部２９Ｂとが配置されている。本体側送信部２９Ａは着座センサ２８が検知した着座信号又は脱座信号の検知信号Ｙを赤外線信号にしてリモートコントローラー３０に向けて送信する。本体側受信部２９Ｂはリモートコントローラー３０から送信された赤外線信号である操作信号Ｘを受信する。
【００２０】
便座ボックス２５内には本体側制御部２０が組み込まれている。本体側制御部２０は、着座センサ２８から着座信号又は脱座信号が入力され、この入力に基づいて本体側送信部２９Ａから送信される検知信号Ｙを制御する。つまり、着座センサ２８から着座信号が本体側制御部２０に入力された場合には、本体側送信部２９Ａから検知信号Ｙとして着座信号が送信され、着座センサ２８から脱座信号が本体側制御部２に入力された場合には、本体側送信部２９Ａから検知信号Ｙとして脱座信号が送信される。また、本体側制御部２０は、本体側受信部２９Ｂが受信した操作信号Ｘが入力され、この入力に基づいて機能装置である局部洗浄装置２６や便座及び便蓋開閉装置２７等の駆動を制御する。
【００２１】
リモートコントローラー３０は平板状に形成されている。このリモートコントローラー３０は電池を電源として駆動されている。リモートコントローラー３０の表面下部には、操作部である止スイッチ３１Ａ、局部洗浄スイッチ（おしり洗浄スイッチ３１Ｂ、３１Ｃ、ビデ洗浄スイッチ３１Ｄ）、局部乾燥スイッチ３１Ｅ及び洗浄強さ調整ダイアル３１Ｆが設けられている。また、リモートコントローラー３０の上端面には、操作部である便座・便蓋開閉スイッチ３１Ｇ、便器洗浄スイッチ（大洗浄スイッチ３１Ｈ、小洗浄スイッチ３１Ｉ）が設けられている。便座・便蓋開閉スイッチ３１Ｇは、便座２３及び便蓋２４が倒伏状態で１回押されると便蓋２４が起立状態に回動し、さらに１回押されると便座２３が起立状態に回動するものである。また、便座・便蓋開閉スイッチ３１Ｇは、便座２３及び便蓋２４が起立状態で１回押されると便座２３が倒伏状態に回動し、さらに１回押されると便蓋２４が倒伏状態に回動するものである。リモートコントローラー３０の表面上部には、洗浄強さや時間等を表示する表示部３２が設けられている。
【００２２】
リモートコントローラー３０の上端面には赤外線が通過可能な窓部３１Ｗが設けられている。この窓部３１Ｗの下方のリモートコントローラー３０内には、赤外線を受信可能なフォトダイオードを有するリモコン側受信部３３Ａと、赤外線を送信可能は発光ダイオードを有するリモコン側送信部３３Ｂとが配置されている。リモコン側受信部３３Ａは本体側送信部２９Ａから送信された赤外線信号である検知信号Ｙを受信する。リモコン側送信部３３Ｂは各種操作部の操作に応じた操作信号Ｘを赤外線信号にして便座装置２２に向けて送信する。
【００２３】
リモートコントローラー３０内にはリモコン側制御部３４が組み込まれている。リモコン側制御部３４は、リモコン側受信部３３Ａが受信した検知信号Ｙと各種操作部の操作信号が入力され、それら入力に基づいて操作信号Ｘを送信するか否かを判断し、リモコン側送信部３３Ｂを制御する。
【００２４】
表１にリモコン側制御部３４における制御内容を示す。
【００２５】
【表１】
2011208380.tif 000003
【００２６】
表１に示すように、本体側送信部２９Ａから送信され、リモコン側受信部３３Ａが検知信号Ｙである着座信号を受信している間、各種操作部の操作によってリモコン側制御部３４の送信信号Ｘを送信するか否かの判断が異なる。つまり、リモコン側受信部３３Ａが着座信号を受信している間、便座・便蓋開閉スイッチ３１Ｇが操作されても、リモコン側送信部３３Ｂは操作信号Ｘである便座・便蓋開閉信号を送信しない。このため、リモートコントローラー３０の電力消費を抑えることができる。一方、リモコン側受信部３３Ａが着座信号を受信している間、局部洗浄スイッチ３１Ｂ、３１Ｃ、３１Ｄ又は局部乾燥スイッチ３１Ｅが操作されると、リモコン側送信部３３Ｂが操作信号Ｘである局部洗浄信号又は局部乾燥信号を送信する。
【００２７】
このように、使用者が便座２３に着座している状態でリモートコントローラー３０の便座・便蓋開閉スイッチ３１Ｇが操作されても便座及び便蓋開閉装置２７は駆動されず、便座２３に着座している使用者の背中に便蓋２４が倒れ込む等の誤動作を防止することができる。また、使用者が便座２３に着座している状態でリモートコントローラー３０の局部洗浄スイッチ３１Ｂ、３１Ｃ、３１Ｄや局部乾燥スイッチ３１Ｅを操作することにより、便座２３に着座した使用者の局部を良好に洗浄又は乾燥することができる。
【００２８】
また、本体側送信部２９Ａから送信され、リモコン側受信部３３Ａが検知信号Ｙである脱座信号を受信している間、各種操作部の操作によってリモコン側制御部３４の送信信号Ｘを送信するか否かの判断が異なる。つまり、リモコン側受信部３３Ａが脱座信号を受信している間、便座・便蓋開閉スイッチ３１Ｇが操作されると、リモコン側送信部３３Ｂが操作信号である便座・便蓋開閉信号を送信する。このように、使用者が便座２３に着座していない状態でリモートコントローラー３０の便座・便蓋開閉スイッチ３１Ｇを操作することにより、便座及び便蓋開閉装置２７が駆動して、便座２３及び便蓋２４を使用者の所望する起立状態又は倒伏状態に回動させることができる。
【００２９】
また、リモコン側受信部３３Ａが脱座信号を受信している間、局部洗浄スイッチ３１Ｂ、３１Ｃ、３１Ｄ又は局部乾燥スイッチ３１Ｅが操作されても、リモコン側送信部３３Ｂが操作信号Ｘである局部洗浄信号又は局部乾燥信号を送信しない。このため、リモートコントローラー３０の電力消費を抑えることができる。このように、使用者が便座２３に着座していない状態でリモートコントローラー３０の局部洗浄スイッチ３１Ｂ、３１Ｃ、３１Ｄ又は局部乾燥スイッチ３１Ｅが操作されても、局部洗浄装置２６及び局部乾燥装置は駆動されず、局部洗浄水の飛散や乾燥用温風の放出等の誤動作を防止することができる。
【００３０】
以上説明したように、実施例の水洗式便器１０では、便座装置２２の便座ボックス２５及び便座２３に着座センサ２８が組み込まれているため、便座２３に着座する使用者の誤検知を少なくすることができ、本体側送信部２９Ａから検知信号Ｙをリモートコントローラー３０に向けて送信することができる。このため、この検知信号Ｙに基づいてリモコン側制御部３４が各種機能装置を操作するかを判断するため、その判断を正確に行なうことができ、操作信号Ｘの送信及び非送信を適確に行うことができる。また、不要な信号送信をしないことによりリモートコントローラー３０の電力消費を抑えるばかりでなく、便座装置２２が着座センサ２８を有しているため、リモートコントローラー３０の電力消費をさらに抑えることができる。
【００３１】
したがって、実施例の水洗式便器１０は、誤動作を防止し、メンテナンスを容易にすることができる。
【００３２】
本発明は上記記述及び図面によって説明した実施例に限定されるものではなく、例えば次のような実施例も本発明の技術的範囲に含まれる。
（１）実施例ではトイレ装置を水洗式便器として説明したが、水洗式便器に後付けできる局部洗浄機能付き便座装置をトイレ装置としても同様である。
（２）実施例では使用状態を検知する検知部を使用者が便座に着座しているかを検知する着座センサであったが、便座昇降装置が便座を上昇させているかを検知するセンサであってもよい。この場合、便座が上昇している間、局部洗浄装置に関する操作部の操作がされても操作信号を送信せず、便座洗浄装置に関する操作部が操作されると操作信号を送信するようにしてもよい。
（３）実施例では無線信号を赤外線信号としたが、電波による無線通信にしてもよい。
（４）実施例では着座センサとして静電容量式センサを利用したが、光学式センサその他の形式のセンサを利用してもよい。
【符号の説明】
【００３３】
１０…水洗式便器（トイレ装置）
２０…本体側制御部
２１、２２…トイレ装置本体（２１…便器本体、２２…便座装置）
２６、２７…機能装置（２６…局部洗浄装置、２７…便座及び便蓋開閉装置）
２８…着座センサ（検知部）
２９Ａ…本体側送信部
２９Ｂ…本体側受信部
３０…リモートコントローラー
３１Ａ〜３１Ｉ…操作部
３３Ａ…リモコン側受信部
３３Ｂ…リモコン側送信部
３４…リモコン側制御部
Ｒ…トイレ室
Ｘ…操作信号
Ｙ…検知信号
【図１】
2011208380.tif 000004
【図２】
2011208380.tif 000005